(57)【特許請求の範囲】
【請求項１】
一対のカップ部を有する本体部を備え、
前記本体部が前記一対のカップ部の縁を形成する略三角形状の上半部と、一対のカップ部に立体形状の膨らみ部を形成する下半部と、を有し、
前記上半部の外縁と内縁に沿って前記一対のカップ部より伸び幅の小さい縁取り部が形成され、
前記縁取り部が、前記本体部の上半部の外縁と内縁に適宜間隔で設けられるミス目を含んで編成され、前記一対のカップ部より編み目数が少ない無縫製ニットブラジャー。
【請求項２】
前記一対のカップ部の上端から延びる肩紐を有し、肩紐とカップ部とが一体に編成され、カップ部の上端付近には肩紐から続く曲線部を有する請求項１に記載の無縫製ニットブラジャー。
【請求項３】
前記一対のカップ部の膨らみ部は、下半部での引き返し編みによって編成される請求項１に記載の無縫製ニットブラジャー。
【請求項４】
前記膨らみ部は、前記下半部での引き返し編みによって編成される略三角形状の編成パターンによって形成される請求項３に記載の無縫製ニットブラジャー。
【請求項５】
前記本体部の下縁に編成されるアンダー部を備え、前記アンダー部は本体部の編み糸より収縮度の大きい編み糸を併用し編成される請求項１に記載の無縫製ニットブラジャー。
【請求項６】
前記アンダー部は、前身と後身とで筒状に形成され、後身の収縮度が前身より大きい請求項５に記載の無縫製ニットブラジャー。
【請求項７】
前記本体部は、一対のカップ部が左右に独立した編み糸によって編成され、一対のカップ部がタック目によって本体部の中央部で結合される請求項１に記載の無縫製ニットブラジャー。
【請求項８】
一対のカップ部を有する本体部の編成工程において、
前記一対のカップ部の上端からウェールとコースの編み目を増やしながら略三角形状の本体部の上半部を編成し、当該上半部の外縁と内縁に適宜間隔のミス目を含む縁取りを編成して、上半部の外縁と内縁に沿って前記一対のカップ部より編み目数の少ない縁取り部を形成する無縫製ニットブラジャーの製造方法。
【請求項９】
一対のカップ部を有する本体部を編成する工程において、
前記三角形状の上半部の編成に引き続いて本体部の下半部を編成し、本体部の下半部にウェール及びコースの編み目を増やしながら引き返し編みを施すことで、一対のカップ部に立体形状の膨らみ部を形成する請求項８に記載の無縫製ニットブラジャーの製造方法。
【請求項１０】
前記本体部の下半部にウェール及びコースの編み目を増やしながら引き返し編みを施すことで、一対のカップ部に略三角形状の編成パターンからなる膨らみ部を形成する請求項９に記載の無縫製ニットブラジャーの製造方法。
【請求項１１】
一対のカップ部を有する本体部を編成する工程において、左右独立した編み糸によって一対の肩紐をその先端から編成し、次いで肩紐から前記一対のカップ部をその上端から編成する請求項８又は９に記載の無縫製ニットブラジャーの製造方法。
【発明の詳細な説明】
【技術分野】
【０００１】
本発明は、無縫製ニットブラジャー及びその製造方法に関する。
【背景技術】
【０００２】
従来のニットブラジャーとして、特許文献１に記載のニット衣料が知られている。このニット衣料を適用したニットブラジャーは、ブラジャーの縁取り部を本体部分とは別途編成し、本体部分を編成するときに縁取り部のウェールを編み込むことで、本体部分と縁取り部とを一体にしたものである。
【特許文献１】特開２００７−１９７８５６号公報
【発明の開示】
【発明が解決しようとする課題】
【０００３】
上記従来のニットブラジャーにあっては、ブラジャーの縁取り部を本体部分とは別途編成しているため、本体部分と縁取り部との間に境が出来て見栄えを損なうおそれがある他、製造工程が複雑になるといった問題があった。
【０００４】
そこで、本発明の目的は、本体部と縁取り部との間の境をなくす他、縁取り部の伸び幅を本体部が有する一対のカップ部より小さくすることで、ブラジャーを着用した時にフィット感が得られる無縫製ニットブラジャーを提供することである。
【０００５】
また、本発明の他の目的は、本体部が有する一対のカップに立体形状の膨らみ部を形成することで、ブラジャーを着用した時にバストを包み込むような着心地のよさを感じさせる無縫製ニットブラジャーを提供することである。
【０００６】
また、本発明の他の目的は、見栄えがよく、着用した時の良好なフィット感や着心地のよさを感じさせる無縫製ニットブラジャーを簡易な工程で製造することのできる製造方法を提供することである。
【課題を解決するための手段】
【０００７】
上記課題を解決するために、本発明に係る無縫製ニットブラジャーは、一対のカップ部を有する本体部を備え、前記本体部が前記一対のカップ部の縁を形成する略三角形状の上半部と、一対のカップ部に立体形状の膨らみ部を形成する下半部と、を有し、前記上半部の外縁と内縁に沿って前記一対のカップ部より伸び幅の小さい縁取り部が形成され、前記縁取り部が、前記本体部の上半部の外縁と内縁に適宜間隔で設けられるミス目を含んで編成され、前記一対のカップ部より編み目数が少ない。
【０００８】
また、本発明の無縫製ニットブラジャーは、前記一対のカップ部の膨らみ部が、下半部での引き返し編みによって編成される。
【０００９】
また、本発明に係る無縫製ニットブラジャーの製造方法は、一対のカップ部を有する本体部の編成工程において、前記一対のカップ部の上端からウェールとコースの編み目を増やしながら略三角形状の本体部の上半部を編成し、当該上半部の外縁と内縁に適宜間隔のミス目を含む縁取りを編成して、上半部の外縁と内縁に沿って前記一対のカップ部より編み目数の少ない縁取り部を形成するものである。
【００１０】
また、本発明の無縫製ニットブラジャーの製造方法は、一対のカップ部を有する本体部を編成する工程において、前記三角形状の上半部の編成に引き続いて本体部の下半部を編成し、本体部の下半部にウェール及びコースの編み目を増やしながら引き返し編みを施すことで、一対のカップ部に立体形状の膨らみ部を形成するものである。
【００１１】
また、本発明の無縫製ニットブラジャーの製造方法は、一対のカップ部を有する本体部を編成する工程において、左右独立した編み糸によって一対の肩紐をその先端から編成し、次いで肩紐から前記一対のカップ部をその上端から編成する。
【発明の効果】
【００１２】
本発明に係る無縫製ニットブラジャーによれば、本体部の縁に設けられる縁取り部がカップ部と一体に編成されているので、縁取り部と本体部との境をなくすことができて見栄えがよくなる。また、縁取り部の伸び幅がカップ部より小さいので、着用時には胸の両脇及び胸元にフィットすることになる。
【００１３】
また、本発明に係る無縫製ニットブラジャーによれば、一対のカップ部に立体構造の膨らみ部が形成されるので、着用時にはバストを包み込むような着心地のよさを感じると共に形のよい胸膨らみが得られる。
【００１４】
また、本発明に係る無縫製ニットブラジャーの製造方法によれば、見栄えがよく、着用した時の良好なフィット感や着心地のよさを感じさせる無縫製ニットブラジャーを簡易な工程で達成することができる。
【００１５】
また、本発明に係る無縫製ニットブラジャーの製造方法によれば、肩紐の編み糸と同じ編み糸によって、肩紐から前記一対のカップ部の上端に続けて一体に編成されるので、カップ部の上端付近には肩紐から続く滑らかな曲線が形成され、カップ部の形状が見栄えのよいもとなる。
【発明を実施するための最良の形態】
【００１６】
以下、本発明に係る無縫製ニットブラジャー及びその製造方法について、その実施形態を図面に基づいて詳細に説明する。なお、図面は、本発明の無縫製ニットブラジャー及びその製造方法を模式的に表したものである。これらの実物の寸法、寸法比及び編み目数は、図面上の寸法、寸法比及び編み目数と必ずしも一致していない。また、重複説明は適宜省略させることがあり、同一部材には同一符号を付与することがある。さらに、本発明の技術的範囲は以下で説明する各実施の形態には限定されず、特許請求の範囲に記載された発明とその均等物に及ぶ点に留意されたい。
【００１７】
図１乃至図３には、本発明の一実施形態に係る無縫製ニットブラジャー１が示されている。この無縫製ニットブラジャー１は、左右に一対のカップ部３ａ，３ｂを有する本体部２と、本体部２の下縁に編成されるアンダー部４と、各カップ部３ａ，３ｂの上端３ａ’，３ｂ’からアンダー部４まで延びる一対の肩紐５ａ，５ｂと、を備えている。
【００１８】
前記本体部２は、本体部２の外縁及び内縁に沿って前記一対のカップ部３ａ，３ｂより伸び幅の小さい縁取り部６ａ，６ｂを有している。この縁取り部６ａ，６ｂは、一対のカップ部３ａ，３ｂの上端３ａ’，３ｂ’からウェールとコースの編み目を次第に増やしながらカップ部３ａ，３ｂを含む本体部２の上半部２ａを略三角状に編成していく際に、図４及び図５に示されるように本体部２の上半部２ａを編成する編成パターン２ａ’の縁に適宜間隔にミス目７を設け、このミス目７を含むニット目８との縁取りの編成によって、本体部２の外縁及び内縁に沿って一対のカップ部３ａ，３ｂより編み目数の少ない縁取りを形成するものである。
【００１９】
上述のように、本体部２の編成と同じコースの縁に適宜間隔にミス目７を設け、このミス目７を含むニット目８との編成によって縁取り部６ａ，６ｂを形成しているので、本体部２と縁取り部６ａ，６ｂとに一体感があり、両者の間に境が出来にくい。
【００２０】
この出願において、ミス目７とはミスによって引き上げられる編み目のことを意味し、図４では便宜的に―で表している。また、ニット目８とはニット針によって編成される編み目のことを意味し、図４では便宜的に〇で表している。また、図５では縁取り部６ａ，６ｂの編目が長く延びているように描かれているが、これはミス目７を含む縁取り部６ａ，６ｂの編み込み状態を分かり易く表したもので、実際には一対のカップ部３ａ，３ｂを編成する編み目の大きさと変わらないため、実質的には一対のカップ部３ａ，３ｂに比べて編み目の数が少なくなり、その分縁取り部６ａ，６ｂの伸び幅が一対のカップ部３ａ，３ｂに比べて小さくなる。なお、無縫製ニットブラジャー１の製造工程においては、図３に示されるように、肩紐５ａ，５ｂの先端部５ａ’，５ｂ’から編成が始まり、本体部２の編成、アンダー部４の編成へと移っていく。図４及び図５は、無縫製ニットブラジャー１の製造工程に合わせて図示しているので、図１及び図２とは上下関係が逆になっている。
【００２１】
上述したように、無縫製ニットブラジャー１は、一対のカップ部３ａ，３ｂの伸びに比べて縁取り部６ａ，６ｂの伸び幅が小さくなるように編成されているために、着用時には縁取り部６ａ，６ｂが胸の両脇及び胸元にフィットすることになる。
【００２２】
上記の実施形態では、本体部２の編成パターンの縁に一コースおきにミス目７を設けているが、必ずしも一コースおきでなくてもよい。また、ウェールに関しても上記の実施形態では本体部２の編成パターンの縁に３個のミス目７を設けているが、このミス目の数も限定されないものである。
【００２３】
この出願における無縫製ニットブラジャー１では、前記本体部２は、一対のカップ部３ａ，３ｂに立体形状の膨らみ部１０を有している。この膨らみ１０は、例えば図３及び図６に示されるように、本体部２の下半部２ｂに、矢印で示されるような順序で引き返し編みを施すことによって形成される。本体部２の下半部２ｂには、図６及び図７に示されるように、引き返し編みを施すことによって下半部２ｂのウェール及びコース数の編み目が略三角形状に増え、特に中心部の編み目の数を増やすことにより下半部に２ｂの編地にゆとりを設け（図７における薄墨部分に相当）、本体部２の下半部２ｂに図８に示したような立体構造の膨らみ部１０を形成するものである。
【００２４】
上記図６において、〇印は下半部２ｂでの引き返し編みの編み目を、×印はアンダー部４における編み目をそれぞれ表している。また、図８は、本体部２の下半部２ｂとアンダー部４との編成時の膨らみ部１０の一部の編み目の状態を模式的に示したものである。なお、図６及び図７には、一対のカップのうち、左側のカップ部３ａについての下半部２ｂの引き返し編みの編成パターン２ｂ’が示されており、右側のカップ部３ｂの場合には、この編成パターン２ｂ’とは対称形となる。
【００２５】
前記膨らみ部１０の形状および大きさは、本体部２の下半部２ｂの引き返し編みをどの程度行うかによって調整される。
【００２６】
前記本体部２の下縁に編成されるアンダー部４は、図１に示されるように、前身４ａと後身４ｂとで筒状に形成され、両者が本体部２の両脇部分でつながっている。アンダー部４は、本体部２の編み糸より収縮度の大きいゴム糸を併用しリブ編み又は天竺編みなどによって編成される。また、アンダー部４の前身４ａと後身４ｂの編成組織を変え、後身４ｂの方が前身４ａより大きく収縮するように編成することで、胸の両脇への密着度が増して着用時のフィット感がさらに向上する。さらに、後身４ｂのゴム糸の併用量を前身４ａより増やすことによって、収縮度を大きくすることができる。
【００２７】
前記一対のカップ部３ａ，３ｂの上端３ａ’，３ｂ’から延びる肩紐５ａ，５ｂは、アンダー部４の後身４ｂ上辺にそれぞれの先端部５ａ’，５ｂ’が縫い付けられる。なお、肩紐５ａ，５ｂをアンダー部４に縫い付けることなく、ブラジャー着用時に首の後ろで結ぶようにしてもよい。この実施形態では肩紐５ａ，５ｂと一対のカップ部３ａ，３ｂとが連続して一体に編成されている。すなわち、肩紐５ａ，５ｂの一端部とカップ部３ａ，３ｂの上端３ａ’，３ｂ’とを縫製することなく、両者が同じ編み糸で無縫製によりつながっている。そのため、肩紐５ａ，５ｂがカップ部３ａ，３ｂの上端３ａ’，３ｂ’に滑らかなカーブを描きながらつながり、カップ部３ａ，３ｂの上端付近に肩紐５ａ，５ｂから滑らかに続く内側曲線部１２ａと外側曲線部１２ｂが形成され、胸元を美しく見せるカップ部の三角形状が得られる。
【００２８】
次に、無縫製ニットブラジャー１の製造方法を図３に基づいて説明する。無縫製ニットブラジャー１は、肩紐５ａ，５ｂの先端部５ａ’，５ｂ’から本体部２を経てアンダー部４の下辺まで横編機によって無縫製で製造される。
【００２９】
まず、左右に独立した編み糸を配置し、肩紐５ａ，５ｂの先端部５ａ’，５ｂ’から編成を始める。肩紐５ａ，５ｂを編成する際の編み目の組織は、リブ編み、ゴム編み、天竺編みなどである。同一幅の肩紐５ａ，５ｂを一対のカップ部３ａ，３ｂの上端３ａ’，３ｂ’まで編成したのち、肩紐５ａ，５ｂを編成する左右に独立した編み糸によって、肩紐５ａ，５ｂから前記一対のカップ部３ａ，３ｂの上端３ａ’，３ｂ’に続けて一体に編成する。その際、カップ部３ａ，３ｂの上端付近に肩紐５ａ，５ｂから滑らかに続く内側曲線部１２ａと外側曲線部１２ｂが形成される。
【００３０】
カップ部３ａ，３ｂを含む本体部２の上半部２ａの編成では、逆三角形状の編成パターン２ａ’となるようにコースとウェールの編み目を増やしながら編成する。その際、カップ部３ａ，３ｂの外縁及び内縁となる編成パターン２ａ’の縁には適宜間隔にミス目７を設けていく。このミス目７はミスにより編み目を引き上げることによってできる。このミス目７を適宜間隔に適度に設けることで、一対のカップ部３ａ，３ｂの外縁及び内縁に沿って、編み目数が適度に減少した縁取り部６ａ，６ｂが形成されることになる。この縁取り部６ａ，６ｂは、一対のカップ部３ａ，３ｂの中心部分に対して伸び幅が小さいため、着用時には胸の両脇及び胸元のブラジャーの縁の線をきれいに出すことができる。また、この縁取り部６ａ，６ｂがあることで、着用時にはカップ部３ａ，３ｂがバストを包み込むようにブラジャーが身体にフィットする。なお、本体部２を表地と裏地との二重構造とすることで、ブラジャーとしての機能が向上する。特に一対のカップ部３ａ，３ｂに袋を形成し、裏地側に設けた袋の入口から袋の内部にパットなどを挿入することもできる。
【００３１】
なお、左右独立した編み糸で本体部２の上半部２ａの編成を進める際、それぞれのカップ部３ａ，３ｂを編成していく過程において、カップ部３ａ，３ｂの中央部で左右互いの編成針にタック目１１を作る。タック目１１を作ることにより左右一対のカップ部３ａ，３ｂを本体部２の中央部で結合することができる。なお、このタック目１１は、カップ部３ａ，３ｂの上下方向に所定の長さに亘って作られる。
【００３２】
次いで、本体部２の下半部２ｂを編成する。その際、図６に矢印で示したように、引き返し編みを複数回繰り返すことで、下半部２ｂのウェールとコースの編み目を増やしていき、略三角形状の編成パターン２ｂ’を形成する。本体部２の下半部２ｂに形成されたこの略三角形状の編成パターン２ｂ’が一対のカップ部３ａ，３ｂにゆとりを持たせ、立体構造の膨らみ部１０を形成することになる。
【００３３】
次いでアンダー部４を編成する。アンダー部４は前身４ａと後身４ｂがリブ編み又は天竺編みによって筒状に編成される。前身４ａと後身４ｂは、本体部２の下辺の脇の部分でつながっている。後身４ｂを編成する際のゴム糸の併用率は前身４ａのそれより数が多い。後身４ｂの収縮度を前身４ａより大きくするためである。そうすることで、着用時にはカップ部３ａ，３ｂの外縁部分が脇中央よりさらに背中側に引っ張られるため、ブラジャーをより一層身体にフィットさせることができる。なお、上記の実施形態ではアンダー部４を筒状に設けた場合について説明したが、これに限定されるものではなく、例えば、後身４ｂの中央部分で二分し、着用時にはフックなどによって連結できる構造としてもよい。
【００３４】
最後に一対のカップ部３ａ，３ｂの上端３ａ’，３ｂ’から延びる２本の肩紐５ａ，５ｂ先端部５ａ’，５ｂ’をアンダー部４の後身４ｂの上辺に縫い付けることで、無縫製ニットブラジャーの製造工程が終了する。
【図面の簡単な説明】
【００３５】
【図１】本発明の一実施形態に係る無縫製ニットブラジャーの斜視図である。
【図２】無縫製ニットブラジャーの正面図である。
【図３】無縫製ニットブラジャーの編成方向を示す説明図である。
【図４】本体部の上半部の編成パターン図である。
【図５】本体部の上半部の編み目の構成図である。
【図６】本体部の下半部に施される引き返し編みの編成パターン図である。
【図７】本体部の下半部に施される引き返し編みの編み目の構成図である。
【図８】本体部の下半部に形成される膨らみ部の編み目の構成図である。
【符号の説明】
【００３６】
１  無縫製ニットブラジャー
２  本体部
２ａ  本体部の上半部
２ｂ  本体部の下半部
２ａ’  本体部の上半部の編成パターン
２ｂ’  本体部の下半部の編成パターン
３ａ，３ｂ  カップ部
３ａ’，３ｂ’  カップ部の上端
４  アンダー部
４ａ  前身
４ｂ  後身
５ａ，５ｂ  肩紐
５ａ’，５ｂ’  肩紐の先端部
６ａ，６ｂ  縁取り部
７  ミス目
８  ニット目
１０  膨らみ部
１１  タック目
１２ａ  内側曲線部
１２ｂ  外側曲線部
【要約】
【課題】  本体部と縁取り部との間の境をなくす他、ブラジャーを着用した時にフィット感が得られる無縫製ニットブラジャーを提供することである。
【解決手段】  一対のカップ部３ａ，３ｂを有する本体部を備え、前記本体部２は、本体部２の縁に沿って前記一対のカップ部より伸び幅の小さい縁取り部６ａ，６ｂを有し、前記縁取り部６ａ，６ｂが、前記本体部２の上半部２ａを編成する際に本体部２の編成パターンの縁に適宜間隔で設けられるミス目を含んで編成され、前記一対のカップ部３ａ，３ｂより編み目数が少ない無縫製ニットブラジャー。
【選択図】  図３【図１】
0006661122.tif 000002
【図２】
0006661122.tif 000003
【図３】
0006661122.tif 000004
【図４】
0006661122.tif 000005
【図５】
0006661122.tif 000006
【図６】
0006661122.tif 000007
【図７】
0006661122.tif 000008
【図８】
0006661122.tif 000009